(57)【要約】【課題】給紙トレイに記録紙をセットする際に記録紙の梱包に添付されているＩＤメモリをトレイに移動することにより確実に記録紙情報を取得すること。【解決手段】画像形成装置は、各給紙部と、転写紙のパッケージに添付された非接触型不揮発性記憶部材を備える不揮発性記憶手段と、当該不揮発性記憶手段から情報を取得する情報読取手段とを備え、当該転写紙のパッケージに添付された不揮発性記憶手段から転写紙に関する情報を取得することにより記録紙情報を最適化する。【選択図】図１
2008292993.tif 000002
【特許請求の範囲】
【請求項１】
各給紙部と、転写紙のパッケージに添付された非接触型不揮発性記憶部材を備える不揮発性記憶手段と、当該不揮発性記憶手段から情報を取得する情報読取手段と、を備えた画像形成装置において、
当該転写紙のパッケージに添付された不揮発性記憶手段から転写紙に関する情報を取得することにより記録紙情報を最適化することを特徴とする画像形成装置。
【請求項２】
前記不揮発性記憶手段による情報取得は、記録紙サイズであることを特徴とする請求項１記載の画像形成装置。
【請求項３】
前記情報取得後に記録紙サイズ情報が変更された場合は、自動的に記録紙サイズ情報再取得を実施し、当該情報が変化していない場合は、不揮発性記憶手段が交換されていないと判断し、当該情報を初期状態に戻すことを特徴とする請求項２記載の画像形成装置。
【請求項４】
前記情報取得後に記録紙無しとなった場合は、自動的に記録紙情報を初期状態に戻すことを特徴とする請求項２記載の画像形成装置。
【請求項５】
前記情報取得後に記録紙無しとなった場合でも、記録紙使用枚数が記録紙のパッケージ枚数以下であれば、操作部等にガイダンス表示し、記録紙情報確認を行うことを特徴とする請求項２記載の画像形成装置。
【請求項６】
前記情報取得後に記録紙の使用枚数がパッケージ枚数に達した場合は、自動的に記録紙情報を初期状態に戻すことを特徴とする請求項２記載の画像形成装置。
【請求項７】
前記情報取得後に記録紙の使用枚数がパッケージ枚数に達した場合は、操作部等にガイダンス表示し、記録紙情報を確認することを特徴とする請求項２記載の画像形成装置。
【請求項８】
前記情報取得後に記録紙セット方向が変更された場合は、自動的に記録紙情報再取得を実施し、当該情報が変化していない場合は、操作部等にガイダンス表示し、記録紙情報を確認することを特徴とする請求項２記載の画像形成装置。
【請求項９】
前記転写紙のパッケージに添付されている不揮発性記憶手段は、流通・在庫管理用のタグを共用することを特徴とする請求項１記載の画像形成装置。
【請求項１０】
前記不揮発性記憶手段は、給紙装置内へ容易にセットできる構造を有することを特徴とする請求項１記載の画像形成装置。
【請求項１１】
前記不揮発性記憶手段は、給紙トレイ内に当該不揮発性記憶手段を廃棄するスペースを有することを特徴とする請求項１記載の画像形成装置。
【請求項１２】
前記不揮発性記憶手段は、スリープ状態でも給紙トレイの記録紙セット情報を取得可能な構成とし、当該給紙トレイが引き抜かれたときは不揮発性記憶手段の動作に必要な制御部のみを起動し、情報の取得更新を行なうことを特徴とする請求項１記載の画像形成装置。
【請求項１３】
前記不揮発性記憶手段からの記録紙情報取得は、電源起動時および給紙トレイセット時であることを特徴とする請求項１記載の画像形成装置。
【請求項１４】
前記不揮発性記憶手段から複数の転写紙情報を読み込んだ場合は、新規情報を優先することを特徴とする請求項１記載の画像形成装置。
【発明の詳細な説明】
【技術分野】
【０００１】
本発明は、各給紙部に非接触の不揮発性記憶手段からの情報読取手段を搭載した画像形成装置に関する。
【背景技術】
【０００２】
近年、物流や在庫管理の簡素化を目的とした商品には、非接触の不揮発性記憶手段（以下、ＩＤメモリ）を添付することが増えてきた。
【０００３】
一方、ユーザーやサービス担当者が、消耗品や寿命部品を容易に交換できるようにカートリッジ方式を広く採用している電子写真方式を用いた画像形成装置においても当該カートリッジの情報、リサイクル、消耗品残量等を管理するため、ＩＤメモリを搭載したものが使用されるようになってきた。
【０００４】
ＩＤメモリには、カートリッジの使用時間やトナー等における消耗品の残量データ等を記憶し、カートリッジ交換時期の判断に使用されている。
また、特許文献１に記載の技術では記録紙にＩＤメモリを設置し、当該ＩＤメモリより記録紙の特性情報を取得し印刷条件の最適化等の処理を行なうことが提案されている。
【特許文献１】特開２００６−２５８９４７号公報
【発明の開示】
【発明が解決しようとする課題】
【０００５】
しかしながら、記録紙にＩＤチップを搭載する場合は記録紙のコストが大幅に上がってしまう。また、ＩＤチップ部に突起ができるため搬送経路にあるローラやベルトを傷めてしまい、それらの部品の寿命が大幅に低下する。また、記録紙情報をユーザーが書き換える必要があり記録紙の種類を変更する場合などは操作が煩雑で作業ミスも発生しやすい。
【０００６】
そこで、本発明では、給紙トレイに記録紙をセットする際に記録紙の梱包に添付されているＩＤメモリをトレイに移動することにより確実に記録紙情報を取得することを目的とする。
【課題を解決するための手段】
【０００７】
請求項１記載の発明は、各給紙部と、転写紙のパッケージに添付された非接触型不揮発性記憶部材を備える不揮発性記憶手段と、当該不揮発性記憶手段から情報を取得する情報読取手段と、を備えた画像形成装置において、当該転写紙のパッケージに添付された不揮発性記憶手段から転写紙に関する情報を取得することにより記録紙情報を最適化することを特徴とする画像形成装置である。
【０００８】
請求項２記載の発明は、請求項１記載の画像形成装置において、不揮発性記憶手段による情報取得は、記録紙サイズであることを特徴とする。
【０００９】
請求項３記載の発明は、請求項２記載の画像形成装置において、情報取得後に記録紙サイズ情報が変更された場合は、自動的に記録紙サイズ情報再取得を実施し、当該情報が変化していない場合は、不揮発性記憶手段が交換されていないと判断し、当該情報を初期状態に戻すことを特徴とする。
【００１０】
請求項４記載の発明は、請求項２記載の画像形成装置において、情報取得後に記録紙無しとなった場合は、自動的に記録紙情報を初期状態に戻すことを特徴とする。
【００１１】
請求項５記載の発明は、請求項２記載の画像形成装置において、情報取得後に記録紙無しとなった場合でも、記録紙使用枚数が記録紙のパッケージ枚数以下であれば、操作部等にガイダンス表示し、記録紙情報確認を行うことを特徴とする。
【００１２】
請求項６記載の発明は、請求項２記載の画像形成装置において、情報取得後に記録紙の使用枚数がパッケージ枚数に達した場合は、自動的に記録紙情報を初期状態に戻すことを特徴とする。
【００１３】
請求項７記載の発明は、請求項２記載の画像形成装置において、情報取得後に記録紙の使用枚数がパッケージ枚数に達した場合は、操作部等にガイダンス表示し、記録紙情報を確認することを特徴とする。
【００１４】
請求項８記載の発明は、請求項２記載の画像形成装置において、情報取得後に記録紙セット方向が変更された場合は、自動的に記録紙情報再取得を実施し、当該情報が変化していない場合は、操作部等にガイダンス表示し、記録紙情報を確認することを特徴とする。
【００１５】
請求項９記載の発明は、請求項１記載の画像形成装置において、転写紙のパッケージに添付されている不揮発性記憶手段は、流通・在庫管理用のタグを共用することを特徴とする。
【００１６】
請求項１０記載の発明は、請求項１記載の画像形成装置において、不揮発性記憶手段は、給紙装置内へ容易にセットできる構造を有することを特徴とする。
【００１７】
請求項１１記載の発明は、請求項１記載の画像形成装置において、不揮発性記憶手段は、給紙トレイ内に当該不揮発性記憶手段を廃棄するスペースを有することを特徴とする。
【００１８】
請求項１２記載の発明は、請求項１記載の画像形成装置において、不揮発性記憶手段は、スリープ状態でも給紙トレイの記録紙セット情報を取得可能な構成とし、当該給紙トレイが引き抜かれたときは不揮発性記憶手段の動作に必要な制御部のみを起動し、情報の取得更新を行なうことを特徴とする。
【００１９】
請求項１３記載の発明は、請求項１記載の画像形成装置において、不揮発性記憶手段からの記録紙情報取得は、電源起動時および給紙トレイセット時であることを特徴とする。
【００２０】
請求項１４記載の発明は、請求項１記載の画像形成装置において、不揮発性記憶手段から複数の転写紙情報を読み込んだ場合は、新規情報を優先することを特徴とする。
【発明の効果】
【００２１】
本発明によれば、給紙トレイに記録紙をセットする際に記録紙の梱包に添付されているＩＤメモリをトレイに移動することにより確実に記録紙情報を取得することができる。
【発明を実施するための最良の形態】
【００２２】
図１に、本実施の形態における画像形成装置のシステム構成を示す。
画像形成装置のシステムは、画像形成装置の全体制御を行うコントローラボード５０１、コントロールボード５０１、に接続された、画像形成装置の操作部ボード５０２、画像データを記憶するＨＤＤ５０３、及びアナログ回線を使用して外部との通信を行う通信コントロール装置インターフェースボード５０４、ＬＡＮインターフェースボード５０５、汎用ＰＩＣバスに接続された、ＦＡＸのコントローユニット５０６、ＩＥＥＥ１３９４ボード、無線ＬＡＮボード、ＵＳＢボード等５０７と、ＰＣＩバスでコントローラに接続されたエンジン制御ボード５１０、エンジン制御ボードに接続された画像形成装置のＩ／Ｏを制御するＩ／Ｏボード５１３、及び、コピー原稿（画像）を読み込むスキャナーボード（ＳＢＵ）５１１、及び画像データをドラム上に書き込むＬＤＢボード等５１２で構成される。
【００２３】
原稿を光学的に読み取る読取ユニット３００は、原稿に対する原稿照明光源の走査を行い、ＣＣＤ５２１に原稿像を結像する。原稿像すなわち原稿に対する光照射の反射光をＣＣＤ５２０で光電変換してＲ，Ｇ，Ｂ画像信号を生成する。
【００２４】
ＣＣＤ５２１は３ラインカラーＣＣＤで、Ｒ、Ｇ、Ｂ画像信号を生成し、ＳＢＵボードのアナログＡＳＩＣに入力する。ＳＢＵボードにはアナログＡＳＩＣ及び，ＣＣＤ、アナログＡＳＩＣの駆動タイミングを発生する回路を備えている。ＣＣＤの出力は、アナログＡＳＩＣ内部でＲ、Ｇ、Ｂの画像データに変換し、且つシェーディング補正し、そして出力Ｉ／Ｆ（インターフェース）５２０で画像データバスを介して画像データ処理器ＩＰＰ(Image Processing Processor；以下では単にＩＰＰと記述)に送出する。
【００２５】
ＩＰＰは画像処理をおこなうプログラマブルな演算処理手段であり、階調処理等を行う。ＳＢＵからＩＰＰに転送された画像データは、ＩＰＰにて光学系およびデジタル信号への量子化に伴う信号劣化（スキャナ系の信号劣化）を補正され、フレームメモリ５２１に書き込まれる。
【００２６】
システムコントロールボード５０１には、ＣＰＵ及びシステムコントローラボードの制御を行うＲＯＭ、ＣＰＵが使用する作業用メモリであるＲＡＭ，リチウム電池を内蔵し、ＳＲＡＭのバックアップと時計を内臓したＮＶ−ＲＡＭ及び、システムコントローラボードのシステバス制御、フレームメモリ制御、ＦＩＦＯ等のＣＰＵ周辺を制御するＡＳＩＣ及びそのインターフェース回路等が搭載されている。
【００２７】
システムコントローラは、スキャナアプリケーション、ファクシミリアプリケーション、プリンタアプリケーションおよびコピーアプリケーション等の複数アプリケーションの機能を有し、システム全体の制御を行う。
【００２８】
操作ボード５０２の入力を解読して本システムの設定とその状態内容を操作部の表示部に表示する。
【００２９】
ＰＣＩバスは他のユニットと接続されており、画像データバス／制御コマンドバスで、画像データと制御コマンドが時分割で転送される。
【００３０】
通信コントローラ装置インターフェースボード５０４は、通信コントロール装置と、コントローラ５０１との通信インターフェースボードです。ＬＡＮインターフェースボード５０５は、社内ＬＡＮに接続されている。社内ＬＡＮとコントローラとの通信インターフェースボードである。外部機器との通信はこのＬＡＮインターフェースボード５０５を経由して実施される。
【００３１】
ＨＤＤ５０３は、システムのアプリケーションプログラムならびにプリンタ、作像プロセス機器の機器付勢情報を格納するアプリケーションデータベース、ならびに、読み取り画像や書き込み画像のイメージデータ、すなわち画像データ、ならびにドキュメントデータを蓄える画像データベースとして用いられる。
【００３２】
操作部ボード５０２には、ＣＰＵ及びＲＯＭ，ＲＡＭ、ＬＣＤ及びキー入力を制御するＡＳＩＣ（ＬＣＤＣ）が搭載されている。ＲＯＭには操作ボード５０２の入力読込み、及び表示出力を制御する、操作ボード５０２の制御プログラムが書き込まれている。ＲＡＭは、ＣＰＵで使用する作業用メモリである。システムコントローラ５０１との通信により、パネルを操作して使用者がシステム設定の入力を行う入力と、使用者にシステムの設定内容，状態を表示する、表示および入力の制御を行っている。
【００３３】
システムコントローラ５０１のワークメモリーから出力されたブラック（Ｂ）、イエロー（Ｙ）、シアン（Ｃ）、マデンタ（Ｍ）の各色の書き込み信号は、ＬＤＢ(Laser Diode control Board)のＢ，Ｙ，Ｍ、ＣのＬＤ書き込み回路に入力される。ＬＤ書き込み回路でＬＤ電流制御（変調制御）が行われ、各ＬＤに出力される。
【００３４】
エンジン制御部５１０は、画像形成装置の作像作成制御を主として行い、ＣＰＵ及び、画像処理を行うＩＰＰ、複写およびプリントアウトを制御するため必要なプログラムを内蔵したＲＯＭ、その制御に必要なＲＡＭ、及びＮＶ―ＲＡＭを搭載している。
【００３５】
ＮＶ−ＲＡＭにはＳＲＡＭと、電源ＯＦＦを検知して、ＥＥＰＲＯＭにストアーするメモリを搭載している。
【００３６】
また、他の制御を行うＣＰＵとの信号の送受信を行う、シリアルインターフェースも備えている
【００３７】
Ｉ／ＯＡＳＩＣは、エンジン制御ボードが実装された、近くのＩ／Ｏ（カウンター、ファン、ソレノイド、モーター等）を制御するＡＳＩＣである。
【００３８】
Ｉ／Ｏ制御ボード５１３とエンジン制御ボード５１０とは同期シリアルインターフェース接続されている。
【００３９】
Ｉ／Ｏ制御ボード５１３にはサブＣＰＵを搭載しており、画像形成装置のＩ／Ｏ制御を行っている。新しいプロセスカートリッジの装着を検知するのはドアが開閉された時にも実施します。Ｉ／Ｏボードに接続されたドアＳＷがオープンになると、カートリッジを入れ替えた可能性があるので、確認を行い結果をエンジン制御部に送信する。
【００４０】
インターフェース回路５１５は、カートリッジに搭載された、メモリタグとのインターフェース回路で接触式のメモリタグを使用する場合は本インターフェースを介してカートリッジのメモリへのアクセスを行う。非接触通信手段５１６は、非接触式のメモリタグを使用する場合のインターフェース部で送受信用アンテナを搭載している。本体制御部との通信は非同期のシリアルインターフェースで行われる。本体側から出力された信号を、非接触通信手段５１６は伝送用の所定の信号に変調して、給紙部等に設置された送受信用アンテナに送る。給紙トレイ等のユニット側の非接触不揮発記憶手段（ＩＤチップ）、図２では受信用アンテナ８で受けた受信信号を伝送用の所定信号から復調した後パラレル信号に変化して、内部メモリに送る。
【００４１】
ソーラーパネル５２２は、光エネルギーにより光電変換を行い、蓄電池へと充電を行ったのち無通電状態での通信を行う際に機能する。
【００４２】
図２に非接触型ＩＤチップの構成の一例を示す。
【００４３】
図２は本体側の非接触通信回路９とプロセスカートリッジ側の非接触通信回１０との通信インターフェースを示す。
【００４４】
本体側のＣＰＵ１１と非接触通信回路９は、シリアルインターフェースで接続されており、このシリアルコミュニケーションインタフェースにより非接触通回路９と本体ＣＰＵ１１と、信号の送受信が行なわれる。本体側の非接触通信回路９はプロセスカートリジ側の非接触通信回１０と同じ回路構成になっている。本体側のＣＰＵ１１から出力された信号を、非接触通信回路９は伝送用の所定信号に変調して、送受アンテナに送る。プロセスカートリッジ側の非接触通信回路１０は受信用アンテナ８で受けた受信信号を受信回路１２で増幅し復調回路４に送る。復調回路４は伝送用の所定信号に復調後、制御回路に送る。制御回路２は不揮発性メモリに記憶する信号であれば、不揮発性メモリ１に送信する。
制御回路２は、本体から受信した信号が、不揮発性メモリ１の内容を送信する指令であれば、不揮発性メモリ１の内容を変調回路３に送信する。変調回路３は伝送用の所定信号に変調して、送受アンテナ７に送る。
【００４５】
本体側の非接触通信回路９は、受信用アンテナで受けた受信信号を受信回路で増幅し復調回路に送る。復調回路は伝送用の所定信号に復調後、制御回路に送られ、本体ＣＰＵに送られる。
【００４６】
なお、本体側の非接触通信回路９はアンテナ部のみ各給紙トレイ近傍に設置し、通信制御回路は共通で使用し通信時はアンテナを切り替えて使用することも可能である。
【００４７】
電源回路は受信用アンテナ８の電磁波を整流して電源を供給する。
【００４８】
不揮発性ＩＤチップには、プロセスカートリッジの制御に必要な下記のような情報が記憶されている。
【００４９】
記録紙品番、製造年月日、記録紙種類、記録紙厚さ、記録紙色情報、枚数、ＩＤチップリサイクル回数、リサイクル回数の上限、保存期間、ＩＤチップへのアクセス回数等、本体内のメモリに各種記録紙の情報が登録されている場合は記録紙品番のみでも記録紙の特性を取得できる。
【００５０】
電源回路１２は蓄電池を有しており、ソーラー１３からの光エネルギーを光電変換して蓄電したのちＣＰＵ１１へ供給する。
【００５１】
図３は本システムの制御例の概要を示すフローチャートである。
【００５２】
電源起動時および記録紙を入れた給紙トレイのセット認識時に給紙部に設けられた非接触情報読取手段（以下、ＩＤリーダー）にアクセスしＩＤチップが装着されているかの確認を行う（Ｓ１：請求項１or 請求項１０)。なお、給紙トレイのセットを検知した際に該当するトレイが『記録紙無し』の場合は、ＩＤチップの装着確認を省略しても良い。
【００５３】
また手差し給紙の場合は、トレイの操作や記録紙のセットを検知した際に、ＩＤチップの装着確認を実施するように制御しても良い。
【００５４】
電源が投入されていない状態（Ｓ１：Ｎｏのとき）では、蓄電池等による蓄電源に切り替え（Ｓ１’）、そののち上記の（Ｓ１）と同様の処理を行う（Ｓ１’’）。
【００５５】
ＩＤチップを認識した場合（Ｓ２：請求項１or請求項２or請求項９or 請求項１３）は、ＩＤチップのメモリ部にアクセスして各種データを取得する（Ｓ３：請求項２or請求項３）。なお当該各種データとは、記録紙サイズであるが、その他記録紙重量、記録紙厚み、記録紙種別（例えば普通紙であるとかＯＨＰ紙であるとか）、再生紙等の情報であっても良い。さらに当該各種データとは、リサイクル記録紙情報であっても良い。各種データ取得後、画像形成装置自体のメモリに各種記録紙に関する特性情報を保存している場合はＩＤチップからは品番や型番情報のみを取得し、特性値は装置内のメモリデータを使用することもできる。一度に複数のＩＤチップデータを読み込んだ場合（Ｓ４：請求項１４）は、新規情報を優先する処理を行う（Ｓ４−２）。
【００５６】
次にＩＤチップから記録紙の各種データを取得し、記録紙残量の判断を行なう（Ｓ５：請求項４）。
【００５７】
記録紙が無い場合は、記録紙のパッケージ容量（枚数）以下であるか否かの判断を行い（Ｓ６：請求項５）、当該枚数以下であれば記録紙情報を更新するか、そのまま記録紙を補給するかの確認を促す表示を行う（Ｓ７）。初期化して良いという判断の場合（Ｓ８−１）は、記録紙情報の設定を自動的に初期化する（Ｓ９）。初期化してはならない場合は、記録紙補給表示を行う（Ｓ８−２）。
【００５８】
次に、記録紙枚数がパッケージ容量（枚数）に到達した場合（Ｓ１０）は、自動的に記録紙情報を初期化する（Ｓ１１：請求項６）。と同時に操作部等にガイダンス表示（Ｓ１２：請求項８）し、記録紙情報を確認する旨を促す。なお、パッケージに添付されている不揮発性記憶手段は、流通・在庫管理用のタグとする（請求項９）。また、当該タグは給紙装置内へ容易にセットできる構造（図４で後述）とする(請求項１０)。
【００５９】
さらに、当該タグは、給紙トレイに廃棄するスペースを有することも本発明の特徴である（請求項１１）。
【００６０】
ところで、当該タグは、スリープ状態でも給紙トレイの記録紙セット情報を取得可能な構成とし、当該給紙トレイが引き抜かれたときは不揮発性記憶手段の動作に必要な制御部のみを起動し、情報の取得更新を行なうことも特徴としている（請求項１２）。
【００６１】
図４はＩＤチップの設置および破棄スペースを有する給紙トレイの一例である。
【００６２】
本トレイでは給紙機構側でかつ手前側にＩＤチップに設置し作業性を良くしている。また、破棄スペースは給紙機構の反対側に設置することによりＩＤチップの誤読取を防止している。ただし、読取機構では一般的にアンチコリジョン対応しており、複数のＩＤチップを読み取っても問題はない。
【００６３】
なお、上述する各実施の形態は、本発明の好適な実施の形態であり、本発明の要旨を逸脱しない範囲内において種々変更実施が可能である。
【００６４】
以下に、各請求項ごとの目的ないしは効果を記載する。請求項２では、不揮発性記憶手段からの情報取得方法が記録紙サイズであることを目的とする。
【００６５】
請求項３では、請求項１記載の情報取得後に記録紙サイズ情報が変更された場合、自動的に記録紙サイズ情報再取得を実施し、当該情報が変化していない場合は、不揮発性記憶手段が交換されていないと判断し、当該情報を初期状態に戻すことを目的とする。
【００６６】
請求項４では、請求項１記載の情報取得後に記録紙無しとなった場合、自動的に記録紙情報を初期状態に戻す
ことを目的とする。
【００６７】
請求項５では、請求項１記載の情報取得後に記録紙無しとなった場合でも、記録紙使用枚数が記録紙のパッケージ枚数以下であれば、操作部等にガイダンス表示し、記録紙情報確認を行うことを目的とする。
【００６８】
請求項６では、請求項１記載の情報取得後に記録紙の使用枚数がパッケージ枚数に達した場合、自動的に記録紙情報を初期状態に戻すことを目的とする。
【００６９】
請求項７では、請求項１記載の情報取得後に記録紙の使用枚数がパッケージ枚数に達した場合、操作部等にガイダンス表示し、記録紙情報を確認することを目的とする。
【００７０】
請求項８では、請求項１の情報取得後に記録紙セット方向が変更された場合、自動的に記録紙情報再取得を実施し、当該情報が変化していない場合は、操作部等にガイダンス表示し、記録紙情報を確認することを目的とする。
【００７１】
請求項９では、請求項１記載の転写紙のパッケージに添付されている不揮発性記憶手段を、流通・在庫管理用のタグを共用することを目的とする。
【００７２】
請求項１０では、請求項１記載の不揮発性記憶手段を給紙装置内へ容易にセットできる構造を有することを目的とする。
【００７３】
請求項１１では、請求項１記載の不揮発性記憶手段の廃棄するスペースを給紙トレイ内に有することを目的とする。
【００７４】
請求項１２では、請求項１記載の不揮発性記憶手段がスリープ状態でも給紙トレイの記録紙セット情報を取得可能な構成とし、当該給紙トレイが引き抜かれたときは不揮発性記憶手段の動作に必要な制御部のみを起動し、情報の取得更新を行なうことを目的とする。
【００７５】
請求項１３では、請求項１記載の不揮発性記憶手段からの記録紙情報取得方法を電源起動時および給紙トレイセット時とすることを目的とする。
【００７６】
請求項１４では、請求項１記載の不揮発性記憶手段からの複数の転写紙情報を読み込んだ場合、新規情報を優先することを目的とする。
【図面の簡単な説明】
【００７７】
【図１】本発明の実施形態の画像形成装置のシステム構成を示す図である。
【図２】本発明の実施形態の非接触型ＩＤチップの構成の一例を示す図である。
【図３】本発明の実施形態の制御例の概要を示すフローチャートである。
【図４】本発明の実施形態のＩＤチップの設置および破棄スペースを有する給紙トレイの一例を示す図である。
【符号の説明】
【００７８】
３００    読取ユニット
５０１    コントローラボード
５０２    操作部ボード
５０３    ＨＤＤ
５０４    通信コントロール装置インターフェースボード
５０５    ＬＡＮインターフェースボード
５０６    コントローユニット
５０７    ＵＳＢボード等
５１０    ＵＳＢボード等
５１１    スキャナーボード（ＳＢＵ）
５１２    ＬＤＢボード
５１３    Ｉ／Ｏボード
【図１】
2008292993.tif 000003
【図２】
2008292993.tif 000004
【図３】
2008292993.tif 000005
【図４】
2008292993.tif 000006